(57)【要約】【課題】トレーに育苗ポットを一個ずつ出し入れしなければならず面倒である。【解決手段】縦列と横列に複数例連結された育苗ポットを間引き状態に空間部を設けて形成した。前記ポット付トレーを上下に重ねて使用できるようにし、上下に重ねると上段のポット付トレーの育苗ポットが下段のポット付トレーの空間に配置され、重ねたポット付トレーを取り外すと夫々のトレーの育苗ポットが間引かれるようにした。前記ポット付トレーを上下に重ねて上段のポット付トレーの育苗ポットを下段のポット付きトレーの空間部に配置し、重ねたポット付トレーの育苗ポットで植物を育苗し、植物が成長すると上段のポット付トレーを下段のポット付トレーから取り外して、夫々のポット付トレーの植物を間引くようにした。【選択図】      図１
2004321073.tif 000002
【特許請求の範囲】
【請求項１】
多数の育苗ポット（１）が縦列と横列に複数例連結され、縦列、横列の育苗ポット（１）が一個おき、二個おきといったように間引き状態に空間部（２）を設けて形成されたことを特徴とするポット付トレー。
【請求項２】
多数の育苗ポット（１）が縦列と横列に複数例連結された二以上のポット付トレー（３）を備え、それらポット付トレー（３）は上下に重ねることができ、夫々のポット付トレー（３）は縦列と横列の異なる位置の育苗ポット（１）が一個おき、二個おきといったように間引き状態に空間部（２）を設けて形成され、それらポット付トレー（３）は上下に重ねると、上段のポット付トレー（３）の育苗ポット（１）が、下段のポット付トレー（３）の空間部（２）内に配置され、重ねたポット付トレー（３）を取り外すと夫々のトレー（３）の育苗ポット（１）が元の間引かれた状態になることを特徴とする組合せ式ポット付トレー。
【請求項３】
請求項２記載の組合せ式ポット付トレーにおいて、下段用のポット付トレー（３）の育苗ポット（１）の上縁部（４）が当該ポット付トレー（３）の上面（５）よりも上方に突出していることを特徴とする組合せ式ポット付トレー。
【請求項４】
多数の育苗ポット（１）が縦列と横列に複数例連結され、縦列と横列の異なる位置の育苗ポット（１）が一個おき、二個おきといったように間引き状態に空間部（２）を設けて形成されたポット付トレー（３）を、二枚以上、上下に重ねて上段のポット付トレー（３）の育苗ポット（１）を下段のポット付きトレー（３）の空間部（２）内に配置し、重ねたポット付トレー（３）の育苗ポット（１）で植物を育苗し、植物が成長すると上段のポット付トレー（３）を下段のポット付トレー（３）から取り外して、夫々のポット付トレー（３）の植物を間引くことを特徴とする組合せ式ポット付トレーを使用した育苗方法。
【発明の詳細な説明】
【０００１】
【発明の属する技術分野】
本発明は、多数の育苗ポットが連結されたポット付トレーと、二枚以上のポット付トレーを組合せて使用可能な組合せ式ポット付トレーと、組合せ式ポット付トレーを使用した育苗方法に関するものであり、組合せ式ポット付トレーを上下に重ねて育苗し、植物が成長したら、重ねてある上段のポット付トレーを取り外すと育苗ポットで育苗された植物が間引かれるようにしたものである。
【０００２】
【従来の技術】
従来、植物の育苗には育苗ポット（樹脂製で黒く薄いポット）が使用されている。育苗ポットは個々に独立しているため、運搬とか、土入れ、播種等に不便である。そこで従来は、育苗ポットを収容できる収容部が縦列と横列に多数形成されたトレーを使用し、その収容部に前記育苗ポットを収容して、多数の育苗ポットに同時に土入れしたり、播種したり、多数の育苗ポットをまとめて運搬したりしている。この場合、育苗した植物が成長すると、隣り合う植物の間隔が狭くなって植物の生育に支障を来たすため、縦列と横列の植物が育苗されている育苗ポットを一つおき或いは二つおきといったように間引いて、間引いた育苗ポットを他のトレーに移しかえている。この間引き、他のトレーへの移しかえは、育苗ポットを一個ずつ行わなければならず、作業が面倒であった。
【０００３】
近年は、前記した面倒のない育苗トレーと、それを使用した育苗方法が開発されている（参考文献１）。この育苗方法は二枚の育苗トレーを上下に重ねて使用するものである。個々の育苗トレーには多数の収容部が縦列と横列に形成され、それら収容部は予め間引きした状態で縦列と横列に配列され、収容部の隣に空間部が形成され、二枚の育苗トレーを上下に重ねると、上の育苗トレーの収容部が下の育苗トレーの空間部に配置されて、上下の育苗トレーの収容部が間引きしない状態で縦列と横列に配列されるようにしてある。その状態で、夫々の収容部に育苗ポットを収容して植物を育苗し、植物が成長してから上の育苗トレーを下の育苗トレーから取り外すと、上の育苗トレーの空間部内の育苗ポットが下の育苗トレーの収容部内に落下して、分離された二つの育苗トレーの夫々の収容部（間引きした状態で縦列と横列に配列されている）にのみ育苗ポットが残って、育苗ポットで育苗された苗が間引きされた状態になる。この育苗トレー及び育苗方法は苗の間引きを容易且つ効率良く行うことができるという利点がある。
【０００４】
【特許文献１】
特開２００２−１３６２２８号公報。
【０００５】
【発明が解決しようとする課題】
参考文献１に示すものは、育苗トレーの収容部に既存の育苗ポットを一個ずつ出し入れしなければならないという面倒がある。
【０００６】
【課題を解決するための手段】
本発明の目的は前記課題を解決することにあり、育苗ポットを使用せずに、育苗トレーそのものを育苗ポットとして使用できるようにし、しかも、間引きも簡易且つ効率よく行うことができるポット付トレーと、組合せ式ポット付トレーと、組合せ式ポット付トレーを使用した育苗方法を提供することにある。
【０００７】
本件出願の請求項１記載のポット付トレーは、多数の育苗ポット１が縦列と横列に複数例連結され、縦列と横列の育苗ポット１が一個おき、二個おきといったように間引き状態に空間部２を設けて形成されたものである。
【０００８】
本件出願の請求項２記載の組合せ式ポット付トレーは、多数の育苗ポット１が縦列と横列に複数例連結された二以上のポット付トレー３を備え、それらポット付トレー３は上下に重ねることができ、夫々のポット付トレー３は縦列と横列の異なる位置の育苗ポット１が一個おき、二個おきといったように間引き状態に空間部２を設けて形成されて、それらポット付トレー３は上下に重ねると、上段のポット付トレー３の育苗ポット１が、下段のポット付トレー３の空間部２内に配置され、重ねたポット付トレー３を取り外すと夫々のトレー３の育苗ポット１が元の間引かれた状態になるものである。
【０００９】
本件出願の請求項３記載の組合せ式ポット付トレーは、請求項２記載の組合せ式ポット付トレーにおいて、下段用のポット付トレー３の育苗ポット１の上縁部４が当該ポット付トレー３の上面５よりも上方に突出しているものである。
【００１０】
本件出願の請求項４記載の組合せ式ポット付トレーを使用した育苗方法は、多数の育苗ポット１が縦列と横列に複数例連結され、縦列と横列の異なる位置の育苗ポット１が一個おき、二個おきといったように間引き状態に空間部２を設けて形成されたポット付トレー３を、二枚以上、上下に重ねて上段のポット付トレー３の育苗ポット１を下段のポット付きトレー３の空間部２内に配置し、重ねたポット付トレー３の育苗ポット１で植物を育苗し、植物が成長すると上段のポット付トレー３を下段のポット付トレー３から取り外して、夫々のポット付トレー３の植物を間引くものである。
【００１１】
【発明の実施の形態】
（実施形態１）
本件出願のポット付トレー、組合せ式ポット付トレー、組合せ式ポット付トレーを使用した育苗方法の一例を図１〜図５に基づいて説明する。本件出願の組合せ式ポット付トレーは、図１のポット付トレー３の上に図２のポット付トレー３を図３〜図５のように重ねて使用するものである。
【００１２】
図１のポット付トレー３は樹脂製であり、外周枠６の内側に育苗ポット１が縦に４列、横に６列連結されている。縦列と横列の育苗ポット１は一個おきに間引いた状態で形成して、育苗ポット１の無い箇所を空間部２としてある。空間部２は育苗ポット１を差込可能な大きさの孔に形成されている。夫々の育苗ポット１は土、ロックウール等の栽培用土壌（培土）を入れて植物を育苗することができるものであり、既存の個々の育苗ポットとほぼ同じサイズにしてある。育苗ポット１は図３のように底面７の中心部に水抜き孔８が開口されており、その外側から四方の外周壁９まで連通するＬ字状の通孔１０が数本形成されている。通孔１０は通気用或いは水抜き用である。組合せ時に下段となるポット付トレー３の育苗ポット１の上縁部４は、図１のように、外周枠６の上面５よりも一段高くして当該上面５よりも上方に突出させてある。
【００１３】
図２のポット付トレー３も樹脂製であり、基本的構造は図１のポット付トレーと同じであり、外周枠６の内側に育苗ポット１が縦に４列、横に６列連結されている。縦列と横列の育苗ポット１は一個おきに間引いた状態で形成して、育苗ポット１の無い箇所を空間部２としてある。この空間部２は図１のポット付トレー３の育苗ポット１の上縁部４に被さる大きさにしてある。空間部２、育苗ポット１の位置は図１のポット付トレー３の空間部２、育苗ポット１の位置と一個分ずつずらして、図３、図４のように、図１のポット付トレー３の上に重ねると、図１のポット付トレー３の空間部２に図２のポット付トレー３の育苗ポット１が収容され、図１のポット付トレー３の育苗ポット１の上縁部４の外周に図２のポット付トレー３の空間部２の周枠１１が被さるようにしてある。
【００１４】
図２の夫々の育苗ポット１も培土を入れて植物を育苗することができるものであり、既存の個々の育苗ポットとほぼ同じサイズにしてある。図２の育苗ポット１にも図３のように底面７の中心部に水抜き孔８が開口されており、底面７から外周壁９までＬ字状の通気用或いは水抜き用の通孔１０が縦方向に数本形成されている。図２の育苗ポット１の上端面１２は外周枠６の上面１３と同じ高さにしてある。
【００１５】
図１、図２のポット付トレー３は個々に使用することができる。その場合は、夫々のポット付トレー３の育苗ポット１に培土を入れ、播種して育苗する。
【００１６】
図１、図２のポット付トレー３は図３〜図５のように、上下に二段に重ねて使用するのに適する。その場合は、重ねた上下のポット付トレー３の夫々の育苗ポット１に培土を入れ、播種して育苗する。苗が成長して隣接する苗の間隔が狭くなったら、上段のポット付トレー３を下段のポット付トレー３から取り外す。これにより両育苗ポット１に栽培された苗が間引きされた状態になり、育苗に好適な環境が得られる。
【００１７】
（実施形態２）
本発明のポット付トレー３の育苗ポット１の縦列、横列の数は、図１、２に示すものよりも多くすることも、少なくすることもできる。育苗ポットの間隔も二つおき、三つおきといったように、任意の数おきにすることもできる。育苗ポットの形状、大きさ、深さなども図示したもの以外とすることもでき、水抜き孔８、通孔１０等の形状、数、開口位置等も図示したものと異なるものとすることができる。通孔１０は例えば、育苗ポット１の外周壁９にのみＩ字状に形成することもできる。細長ではなく小さな孔を複数開口するなどしても良い。いずれの場合も、育苗ポット１内に入れた培土が外に漏れない程度の大きさにするのが良い。
【００１８】
【発明の効果】
本件出願の請求項１記載のポット付トレーは、多数の育苗ポットが縦列と横列に複数例連結され、縦列と横列の育苗ポットは異なる位置の育苗ポットが一個おき、二個おきといったように間引き状態に空間部を設けて形成されているので、一枚ずつ育苗に使用することができ、また、２枚以上を組み合わせて育苗に使用することもできる。
【００１９】
本件出願の請求項２記載の組合せ式ポット付トレーは、多数の育苗ポットが縦列と横列に複数例連結された二以上のポット付トレーを備え、それらポット付トレーは上下に重ねることができ、夫々のポット付トレーは縦列と横列の異なる位置の育苗ポットが一個おき、二個おきといったように間引き状態に空間部を設けて形成されて、それらポット付トレーは上下に重ねると、上段のポット付トレーの育苗ポットが、下段のポット付トレーの空間に配置され、重ねたポット付トレーを取り外すと夫々のトレーの育苗ポットが元の間引かれた状態になるので、
育苗と間引きが容易になる。
【００２０】
本件出願の請求項３記載の組合せ式ポット付トレーは、請求項２記載の組合せ式ポット付トレーにおいて、下段用のポット付トレーの育苗ポットの上縁部が当該ポット付トレーの上面よりも上方に突出しているので、下段用のポット付トレーの上に上段用のポット付トレーを重ね易い。また、重ねた後に位置ずれせず、安定し、苗が傷まない。
【００２１】
本件出願の請求項４記載の組合せ式ポット付トレーを使用した育苗方法は、多数の育苗ポットが間引き状態に形成されたポット付トレーを、二枚以上、上下に重ねて使用し、植物が成長すると上段のポット付トレーを下段のポット付トレーから取り外して、夫々のポット付トレーの植物を間引くので、間引き作業がポット付トレーごとに行われ、間引き作業が容易且つ効率良く行なわれる。
【図面の簡単な説明】
【図１】本発明の組合せ式ポット付トレーの下段用のポット付トレーの一例を示す斜視図。
【図２】本発明の組合せ式ポット付トレーの上段用のポット付トレーの一例を示す斜視図。
【図３】本発明の組合せ式ポット付トレーを重ねる途上の状態の断面図。
【図４】本発明の組合せ式ポット付トレーを重ねた後の断面図。
【図５】本発明の組合せ式ポット付トレーを重ねた後の斜視図。
【符号の説明】
１  育苗ポット
２  空間部
３  ポット付トレー
４  上縁部
５  トレーの上面
６  外周枠
７  底面
８  水抜き孔
９  外周壁
１０  通孔
１１  周枠
１２  育苗ポットの上端面
１３  外周枠の上面
【図１】
2004321073.tif 000003
【図２】
2004321073.tif 000004
【図３】
2004321073.tif 000005
【図４】
2004321073.tif 000006
【図５】
2004321073.tif 000007